(57)【要約】      （修正有）【課題】複数の照明器具の位置と識別情報とを容易に紐づけることができる照明システムを提供する。【解決手段】照明システム１００は、照明器具１０と、子機Ａと、情報通信端末４０とを備える。子機Ａは、照明器具１０から当該照明器具１０のＭＡＣアドレスを含む信号を受信する第一無線通信部２２と、信号の受信強度を計測する計測部２３と、計測された受信強度を示す受信強度情報、及び、ＭＡＣアドレスを第一無線通信部２２に送信させる第一制御部２１とを備える。情報通信端末４０は、受信強度情報、及び、記憶部４５に記憶された位置情報に基づいて、複数の照明器具１０の位置とＭＡＣアドレスとを紐づける第二制御部４２を備える。【選択図】図２
2019140037.tif 000002
【特許請求の範囲】
【請求項１】
複数の照明器具と、
複数の照明コントローラと、
情報通信端末とを備え、
前記複数の照明コントローラのそれぞれは、
前記複数の照明器具のそれぞれから当該照明器具の識別情報を含む信号を受信する第一無線通信部と、
前記第一無線通信部が受信した前記信号の受信強度を計測する計測部と、
計測された受信強度を示す受信強度情報、及び、前記識別情報を前記第一無線通信部によって送信させる第一制御部とを備え、
前記情報通信端末は、
前記受信強度情報及び前記識別情報を受信する第二無線通信部と、
前記複数の照明器具及び前記複数の照明コントローラの位置関係を示す位置情報と、前記受信強度情報とに基づいて、前記複数の照明器具のうち前記受信強度情報が示す受信強度の計測の対象となった信号を送信した第一照明器具の位置を決定し、前記第一照明器具に前記識別情報を紐づける第二制御部とを備える
照明システム。
【請求項２】
前記第二制御部は、前記受信強度情報が示す受信強度を距離に換算し、当該距離、及び、前記位置情報に基づいて、前記第一照明器具に前記識別情報を紐づける
請求項１に記載の照明システム。
【請求項３】
前記情報通信端末は、さらに、前記位置情報を記憶可能な記憶部を備える
請求項１または２記載の照明システム。
【請求項４】
前記位置情報は、前記複数の照明器具のそれぞれと前記複数の照明コントローラのそれぞれとの距離を示し、
前記第二制御部は、前記受信強度情報が示す受信強度を距離に換算し、当該距離と前記位置情報が示す距離とを比較することにより、前記第一照明器具に前記識別情報を紐づける
請求項２に記載の照明システム。
【請求項５】
前記第二制御部は、
前記複数の照明コントローラのうちの対象照明コントローラが前記複数の照明器具のうちの第二照明器具から受信した信号の受信強度を示す対象受信強度情報と、前記位置情報が示す前記対象照明コントローラから第二照明器具までの距離とに基づいて補正パラメータを算出し、
算出された補正パラメータを用いて前記受信強度情報が示す受信強度を距離に換算する
請求項２または４に記載の照明システム。
【請求項６】
前記第二制御部は、
前記複数の照明コントローラのうちの２つの照明コントローラの一方が他方から受信した信号の受信強度を示す対象受信強度情報と、前記位置情報が示す前記２つの照明コントローラ間の距離とに基づいて補正パラメータを算出し、
算出された補正パラメータを用いて前記受信強度情報が示す受信強度を距離に換算する
請求項２または４に記載の照明システム。
【請求項７】
前記位置情報において、前記複数の照明器具の位置のそれぞれには、仮の識別情報が付与され、
前記第二制御部は、前記受信強度情報、及び、前記位置情報に基づいて、前記仮の識別情報を前記識別情報に置き換えることにより、前記第一照明器具に前記識別情報を紐づける
請求項１〜６のいずれか１項に記載の照明システム。
【請求項８】
前記第一制御部は、さらに、前記複数の照明器具の少なくとも一部の発光制御を行うための指令を前記第一無線通信部に送信させる
請求項１〜６のいずれか１項に記載の照明システム。
【請求項９】
前記複数の照明コントローラのそれぞれは、前記第一無線通信部と異なる第三無線通信部を備え、
前記第一制御部は、さらに、前記複数の照明器具の少なくとも一部の発光制御を行うための指令を前記第三無線通信部に送信させる
請求項１〜６のいずれか１項に記載の照明システム。
【請求項１０】
前記複数の照明コントローラのそれぞれは、有線通信部を備え、
前記第一制御部は、さらに、前記複数の照明器具の少なくとも一部の発光制御を行うための指令を前記有線通信部に送信させる
請求項１〜６のいずれか１項に記載の照明システム。
【請求項１１】
複数の照明器具、複数の照明コントローラ、及び、情報通信端末を備える照明システムにおける設定方法であって、
前記複数の照明コントローラのそれぞれは、
前記複数の照明器具のそれぞれから当該照明器具の識別情報を含む信号を受信し、
前記複数の照明器具のそれぞれから受信した前記信号の受信強度を計測し、
計測された受信強度を示す受信強度情報、及び、前記識別情報を送信し、
前記情報通信端末は、
前記受信強度情報及び前記識別情報を受信し、
前記複数の照明器具及び前記複数の照明コントローラの位置関係を示す位置情報と、前記受信強度情報とに基づいて、前記複数の照明器具のうち前記受信強度情報が示す受信強度の計測の対象となった信号を送信した第一照明器具の位置を決定し、
前記第一照明器具に前記識別情報を紐づける
照明設定方法。
【請求項１２】
複数の照明器具、複数の照明コントローラ、及び、情報通信端末を備える照明システムの前記情報通信端末に設定方法を実行させるためのプログラムであって、
前記複数の照明コントローラのそれぞれは、
前記複数の照明器具のそれぞれから当該照明器具の識別情報を含む信号を受信し、
前記複数の照明器具のそれぞれから受信した前記信号の受信強度を計測し、
計測された受信強度を示す受信強度情報、及び、前記識別情報を送信し、
前記設定方法は、
送信された前記受信強度情報及び前記識別情報を受信し、
前記複数の照明器具及び前記複数の照明コントローラの位置関係を示す位置情報と、前記受信強度情報とに基づいて、前記複数の照明器具のうち前記受信強度情報が示す受信強度の計測の対象となった信号を送信した第一照明器具の位置を決定し、
前記第一照明器具に前記識別情報を紐づける
プログラム。
【発明の詳細な説明】
【技術分野】
【０００１】
本発明は、照明システム、及び、照明設定方法に関する。
【背景技術】
【０００２】
複数の照明器具をグループに分けて制御する照明システムが知られている。特許文献１には、グループ分け等の設定作業を効率化することができる照明システムが開示されている。
【先行技術文献】
【特許文献】
【０００３】
【特許文献１】特開２０１７−１０８５２号公報
【発明の概要】
【発明が解決しようとする課題】
【０００４】
照明コントローラが複数の照明器具を制御するためには、複数の照明器具の識別情報が必要となる。識別情報は、例えば、複数の照明器具の設置者によって入力されるが、複数の照明器具の数が多くなると識別情報の入力は非常に手間のかかる作業となる。
【０００５】
本発明は、複数の照明器具の位置と識別情報とを容易に紐づけることができる照明システム、照明設定方法、及び、プログラムを提供する。
【課題を解決するための手段】
【０００６】
本発明の一態様に係る照明システムは、複数の照明器具と、複数の照明コントローラと、情報通信端末とを備え、前記複数の照明コントローラのそれぞれは、前記複数の照明器具のそれぞれから当該照明器具の識別情報を含む信号を受信する第一無線通信部と、前記第一無線通信部が受信した前記信号の受信強度を計測する計測部と、計測された受信強度を示す受信強度情報、及び、前記識別情報を前記第一無線通信部によって送信させる第一制御部とを備え、前記情報通信端末は、前記受信強度情報及び前記識別情報を受信する第二無線通信部と、前記複数の照明器具及び前記複数の照明コントローラの位置関係を示す位置情報と、前記受信強度情報とに基づいて、前記複数の照明器具のうち前記受信強度情報が示す受信強度の計測の対象となった信号を送信した第一照明器具の位置を決定し、前記第一照明器具に前記識別情報を紐づける第二制御部とを備える。
【０００７】
本発明の一態様に係る照明設定方法は、複数の照明器具、複数の照明コントローラ、及び、情報通信端末を備える照明システムにおける設定方法であって、前記複数の照明コントローラのそれぞれは、前記複数の照明器具のそれぞれから当該照明器具の識別情報を含む信号を受信し、前記複数の照明器具のそれぞれから受信した前記信号の受信強度を計測し、計測された受信強度を示す受信強度情報、及び、前記識別情報を送信し、前記情報通信端末は、前記受信強度情報及び前記識別情報を受信し、前記複数の照明器具及び前記複数の照明コントローラの位置関係を示す位置情報と、前記受信強度情報とに基づいて、前記複数の照明器具のうち前記受信強度情報が示す受信強度の計測の対象となった信号を送信した第一照明器具の位置を決定し、前記第一照明器具に前記識別情報を紐づける。
【０００８】
本発明の一態様に係るプログラムは、複数の照明器具、複数の照明コントローラ、及び、情報通信端末を備える照明システムの前記情報通信端末に設定方法を実行させるためのプログラムであって、前記複数の照明コントローラのそれぞれは、前記複数の照明器具のそれぞれから当該照明器具の識別情報を含む信号を受信し、前記複数の照明器具のそれぞれから受信した前記信号の受信強度を計測し、計測された受信強度を示す受信強度情報、及び、前記識別情報を送信し、前記設定方法は、送信された前記受信強度情報及び前記識別情報を受信し、前記複数の照明器具及び前記複数の照明コントローラの位置関係を示す位置情報と、前記受信強度情報とに基づいて、前記複数の照明器具のうち前記受信強度情報が示す受信強度の計測の対象となった信号を送信した第一照明器具の位置を決定し、前記第一照明器具に前記識別情報を紐づける。
【発明の効果】
【０００９】
本発明によれば、複数の照明器具の位置と識別情報とを容易に紐づけることができる照明システム、照明設定方法、及び、プログラムが実現される。
【図面の簡単な説明】
【００１０】
【図１】図１は、実施の形態１に係る照明システムの概略図である。
【図２】図２は、実施の形態１に係る照明システムの機能構成を示すブロック図である。
【図３】図３は、複数の照明器具及び複数の子機の配置を示す図である。
【図４】図４は、記憶部に記憶される位置情報を示す図である。
【図５】図５は、紐付け動作のシーケンス図である。
【図６】図６は、紐付け処理をより具体的に示すフローチャートである。
【図７】図７は、仮アドレスがＭＡＣアドレスに置き換えられた後の位置情報を示す図である。
【図８】図８は、ＭＡＣアドレスが反映された、複数の照明器具及び複数の子機の配置を示す図である。
【図９】図９は、実施の形態１の変形例に係る紐付け処理のフローチャートである。
【図１０】図１０は、実施の形態２に係る照明システムの機能構成を示すブロック図である。
【図１１】図１１は、実施の形態３に係る照明システムの機能構成を示すブロック図である。
【発明を実施するための形態】
【００１１】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
（実施の形態１）
［構成］
まず、実施の形態１に係る照明システムの構成について説明する。図１は、実施の形態１に係る照明システムの概略図である。図２は、実施の形態１に係る照明システムの機能構成を示すブロック図である。
【００１４】
図１に示されるように、実施の形態１に係る照明システム１００は、複数の照明器具１０と、複数の子機Ａ〜Ｄと、親機３０と、情報通信端末４０とを備える。複数の照明器具１０、複数の子機Ａ〜Ｄ、及び、親機３０には、系統電源１１０から交流電力が供給される。親機３０と、複数の子機Ａ〜Ｄのそれぞれとは、信号線１２０によって接続されている。なお、図１における照明器具１０の数は、正確でない。図２においては、複数の子機Ａ〜Ｄ、及び、複数の照明器具１０はそれぞれ１台のみ図示されているが、実際には複数台ずつ存在する。
【００１５】
照明システム１００において、複数の子機Ａ〜Ｄのそれぞれは、信号線１２０を通じて得られる親機３０からの制御指令に基づいて、当該子機の制御対象の照明器具１０の発光制御を行う。ここで、複数の子機Ａ〜Ｄのそれぞれは、例えば、制御対象の照明器具１０のＭＡＣ（Ｍｅｄｉａ  Ａｃｃｅｓｓ  Ｃｏｎｔｒｏｌ）アドレスを指定して当該ＭＡＣアドレスを有する照明器具１０の発光制御を行うための指令を送信する。したがって、複数の照明器具１０のＭＡＣアドレスは、事前に把握される必要がある。ＭＡＣアドレスは、例えば、照明システム１００の設置時に設置者によって情報通信端末４０に入力され、情報通信端末４０を通じて複数の子機Ａ〜Ｄに登録される。
【００１６】
しかしながら、複数の照明器具１０の数が多くなると、設置者が照明器具１０のＭＡＣアドレスを１つずつ入力する作業は非常に手間のかかるものとなる。また、照明対象のエリアごとに複数の照明器具１０をグループに分けて発光制御するような場合、設置者は照明器具１０の設置位置を考慮して、対応する子機にＭＡＣアドレスを登録する必要がある。つまり、照明器具１０の設置位置とＭＡＣアドレスとが紐づけられている必要があり、このような紐付けについても非常に手間がかかる。
【００１７】
そこで、照明システム１００においては、複数の照明器具１０の設置位置とＭＡＣアドレスとの紐付けを容易に行うことができる手法（以下、紐付け動作とも記載される）が用いられている。以下、照明システム１００が備える各構成要素について引き続き図１及び図２を参照しながら詳細に説明する。
【００１８】
［情報通信端末］
まず、情報通信端末４０の構成について説明する。情報通信端末４０は、ユーザの操作を受け付け、受け付けたユーザ操作に応じて親機３０に制御指示信号を送信する。情報通信端末４０は、例えば、スマートフォン、タブレット端末、またはＰＤＡ（Ｐｅｒｓｏｎａｌ  Ｄｉｇｉｔａｌ  Ａｓｓｉｓｔａｎｔ）などの携帯端末であるが、パーソナルコンピュータなどの据え置き型の端末であってもよい。また、情報通信端末４０は、照明システム１００において用いられる専用のリモートコントローラであってもよい。情報通信端末４０は、操作受付部４１と、第二無線通信部４３と、第二制御部４２と、表示部４４と、記憶部４５とを備える。
【００１９】
操作受付部４１は、ユーザの操作を受け付ける。操作受付部４１は、具体的には、タッチパネルなどによって構成される。
【００２０】
第二制御部４２は、操作受付部４１によって受け付けられたユーザの操作に応じて第二無線通信部４３に制御指示信号を送信させる。第二制御部４２は、例えば、マイクロコンピュータによって実現されるが、プロセッサまたは専用回路によって実現されてもよい。
【００２１】
第二無線通信部４３は、情報通信端末４０が親機３０と無線通信を行うための無線通信回路である。第二無線通信部４３は、例えば、親機３０に制御指示信号を送信する。
【００２２】
表示部４４は、第二制御部４２の制御に基づいて画像を表示する表示装置である。表示部４４は、例えば、液晶パネルまたは有機ＥＬ（Ｅｌｅｃｔｒｏ  Ｌｕｍｉｎｅｓｃｅｎｃｅ）パネルによって実現される。
【００２３】
記憶部４５は、第二制御部４２が実行する制御プログラム等が記憶される記憶装置である。記憶部４５は、例えば、半導体メモリなどによって実現される。
【００２４】
［親機］
次に、親機３０の構成について説明する。親機３０は、情報通信端末４０に対して行われたユーザの操作に基づいて、複数の子機Ａ〜Ｄの少なくとも一部に制御指令を送信する。親機３０は、照明システム１００が設置される室内の壁などに取り付けられる専用の操作受付装置（具体的には、操作パネルなどのユーザインターフェース装置。図示せず。）に対して行われたユーザの操作に基づいて、複数の子機Ａ〜Ｄの少なくとも一部に制御指令を送信してもよい。親機３０は、無線通信部３１と、制御部３２と、記憶部３３とを備える。
【００２５】
無線通信部３１は、親機３０が操作受付装置または情報通信端末４０と無線通信を行うための無線通信回路である。無線通信部３１は、例えば、情報通信端末４０から制御指示信号を受信する。
【００２６】
制御部３２は、無線通信部３１によって受信された制御指示信号に基づいて、無線通信部３１に制御指令を送信する。制御部３２は、例えば、マイクロコンピュータによって実現されるが、プロセッサまたは専用回路によって実現されてもよい。
【００２７】
記憶部３３は、制御部３２が実行する制御プログラム等が記憶される記憶装置である。記憶部３３は、例えば、半導体メモリなどによって実現される。
【００２８】
［子機］
次に、子機Ａの構成について説明する。なお、子機Ｂ〜Ｄについては子機Ａと同様の構成であるため詳細な説明が省略される。子機Ａは、複数の照明器具１０のうち子機Ａの制御対象となる照明器具１０の発光制御を行う。子機Ａは、照明コントローラの一例である。子機Ａは、第一制御部２１と、第一無線通信部２２と、計測部２３と、記憶部２４とを備える。
【００２９】
第一制御部２１は、親機３０から信号線１２０を通じて制御指令を取得し、取得した制御指令に基づいて、発光制御を行うための指令を第一無線通信部２２に送信させる。第一制御部２１は、例えば、マイクロコンピュータによって実現されるが、プロセッサまたは専用回路によって実現されてもよい。
【００３０】
第一無線通信部２２は、子機Ａが複数の照明器具１０と無線通信を行うための無線通信回路である。第一無線通信部２２は、例えば、制御対象の照明器具１０に発光制御を行うための指令を送信する。
【００３１】
計測部２３は、第一無線通信部２２が複数の照明器具１０のそれぞれから受信した信号の受信強度（ＲＳＳＩ：Ｒｅｃｅｉｖｅｄ  Ｓｉｇｎａｌ  Ｓｔｒｅｎｇｔｈ  Ｉｎｄｉｃａｔｉｏｎ）を計測する。受信強度は、後述する紐付け動作に用いられる。なお、計測部２３は、第一無線通信部２２と一体のデバイスとして実現されてもよい。
【００３２】
記憶部２４は、第一制御部２１が実行する制御プログラム等が記憶される記憶装置である。記憶部２４には、上記受信強度が一時的に記憶されてもよい。記憶部２４は、例えば、半導体メモリなどによって実現される。
【００３３】
［照明器具］
まず、照明器具１０について説明する。照明器具１０は、室内を照明するいわゆるシーリングライトであり、対応する子機によって発光制御される。なお、照明器具１０の態様は、図１に示されるような態様に限定されるものではなく。平面視形状が円形のシーリングライト、または、ダウンライト等であってもよい。
【００３４】
照明器具１０は、無線通信部１１と、制御部１２と、発光制御回路１３と、光源１４と、記憶部１５とを備える。以下、照明器具１０の各構成要素について説明する。
【００３５】
無線通信部１１は、照明器具１０が複数の子機Ａ〜Ｄと無線通信を行うための無線通信回路である。無線通信部１１は、例えば、対応する子機からの指令を受信する。
【００３６】
制御部１２は、無線通信部１１によって受信された指令に基づいて、発光制御回路１３を介した光源１４の発光制御を行う。発光制御は、例えば、点灯及び消灯を含む調光制御であるが、光源１４が調色に対応している場合は調色制御であってもよい。また、発光制御は、スケジュールに基づいて光源１４を制御するスケジュール制御であってもよい。制御部１２は、例えば、マイクロコンピュータによって実現されるが、プロセッサまたは専用回路によって実現されてもよい。
【００３７】
発光制御回路１３は、制御部１２の制御に基づいて電圧及び電流を光源１４に供給する。発光制御回路１３は、具体的には、ＰＷＭ（Ｐｕｌｓｅ  Ｗｉｄｔｈ  Ｍｏｄｕｌａｔｉｏｎ）制御回路などの調光回路である。
【００３８】
光源１４は、発光制御回路１３から供給される電圧及び電流によって発光する照明用の白色光源である。光源１４は、具体的には、蛍光管またはＬＥＤなどによって実現される。光源１４は、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子であってもよい。
【００３９】
記憶部１５は、制御部１２が実行する制御プログラム、調光用のパラメータ、及びスケジュール情報等が記憶される記憶装置である。記憶部１５には、照明器具１０のＭＡＣアドレスも記憶される。ＭＡＣアドレスは、識別情報の一例である。記憶部１５は、例えば、半導体メモリなどによって実現される。
【００４０】
［紐付け動作の概要］
次に、照明システム１００の紐付け動作について説明する。紐付け動作を行うために、情報通信端末４０の記憶部４５には、照明システム１００が設置される部屋における複数の照明器具１０及び複数の子機２０の配置を示す位置情報が記憶される。図３は、複数の照明器具１０及び複数の子機２０の配置を示す図である。図４は、記憶部４５に記憶される位置情報を示す図である。
【００４１】
図３は、部屋の上面図であり、図３の例では、複数の照明器具１０がマトリクス状に配置されている。また、複数の子機Ａ〜Ｄもマトリクス状に配置されている。
【００４２】
ここで、照明システム１００の設置時に、設置者等は、例えば、子機Ａの位置を基準として、複数の照明器具１０及び複数の子機Ａ〜Ｄの二次元座標を操作受付部４１への操作によって入力する。第二制御部４２は、入力された二次元座標に基づいて、複数の子機Ａ〜Ｄのそれぞれから複数の照明器具１０のそれぞれまでの距離を算出する。この結果、図４に示されるような位置情報が生成される。位置情報においては、複数の照明器具１０を区別するために、複数の照明器具１０の位置のそれぞれに仮アドレス（１、２、３・・Ｎ−１、Ｎ）が付与されている。
【００４３】
なお、このような二次元座標の入力は、例えば、表示部４４に表示される入力画面を通じて行われる。入力画面には、図３のような複数の照明器具１０の二次元的な配置を示す画像が含まれてもよい。二次元座標の入力は、複数の照明器具１０及び複数の子機Ａ〜Ｄを部屋の天井に設置された後で行われてもよいし、二次元座標を入力した後に、二次元座標にしたがって複数の照明器具１０及び複数の子機Ａ〜Ｄが部屋の天井に設置されてもよい。設置者は、複数の照明器具１０のＭＡＣアドレスについては意識せず、入力される二次元座標と整合がとれるように、複数の照明器具１０及び複数の子機Ａ〜Ｄを設置すればよい。また、二次元座標に代えて、複数の子機Ａ〜Ｄのそれぞれから複数の照明器具１０のそれぞれまでの距離が直接入力されてもよい。
【００４４】
図５は、このような位置情報を用いて行われる紐付け動作のシーケンス図である。図５においては、複数の子機Ａのみ図示されているが、実際には複数の子機Ａ〜Ｄの４台が存在する。つまり、子機Ａ〜Ｄのそれぞれが、子機Ａと同様の処理を行う。
【００４５】
まず、情報通信端末４０の操作受付部４１は、紐付け操作の開始を指示する開始操作を受け付ける（Ｓ１１）。操作受付部４１は、例えば、設置者の開始操作を受け付ける。
【００４６】
第二制御部４２は、操作受付部４１によって受け付けられた開始操作に基づき、第二無線通信部４３に開始指示信号を送信させる（Ｓ１２）。開始指示信号は、親機３０によって中継され（Ｓ１３）、子機Ａの第一制御部２１によって取得される（Ｓ１４）。
【００４７】
第一制御部２１は、取得した開始指示信号に基づき、第一無線通信部２２にＭＡＣアドレスの要求信号をブロードキャスト送信させる（Ｓ１５）。
【００４８】
複数の照明器具１０のそれぞれにおいて、無線通信部１１は、ＭＡＣアドレスの要求信号を受信する（Ｓ１６）。そうすると、制御部１２は、記憶部１５に記憶されたＭＡＣアドレスを読み出し、読み出したＭＡＣアドレスを含む応答信号を無線通信部１１に送信させる（Ｓ１７）。
【００４９】
子機Ａの第一無線通信部２２は、複数の照明器具１０のそれぞれから当該照明器具１０のＭＡＣアドレスを含む応答信号を受信する（Ｓ１８）。このとき、第一無線通信部２２は、子機Ａの制御対象の照明器具１０だけでなく、照明システム１００が備える全ての照明器具のそれぞれから応答信号を受信する。
【００５０】
計測部２３は、第一無線通信部２２が照明器具１０から受信した応答信号の受信強度を計測する（Ｓ１９）。このとき、第一制御部２１は、計測された受信強度を示す受信強度情報を生成し、照明器具１０のＭＡＣアドレスと、当該ＭＡＣアドレスを含む応答信号の受信強度情報とを対応付けて記憶部２４に記憶する。
【００５１】
第一制御部２１は、複数の照明器具１０のそれぞれのＭＡＣアドレス及び受信強度情報の組を記憶部２４から読み出し、第一無線通信部に送信させる（Ｓ２０）。ＭＡＣアドレス及び受信強度情報は、親機３０によって中継される（Ｓ２１）。
【００５２】
情報通信端末４０の第二無線通信部は、ステップＳ２０において送信された受信強度情報及び識別情報を受信する（Ｓ２２）。第二制御部４２は、受信強度情報、及び、位置情報に基づいて、複数の照明器具１０の設置位置と識別情報とを紐づける（Ｓ２３）。図６は、ステップＳ２３における紐付け処理をより具体的に示すフローチャートである。
【００５３】
まず、第二制御部４２は、ステップＳ２２において受信した受信強度情報が示す受信強度を距離に換算する（Ｓ３１）。第二制御部４２は、例えば、フリスの伝達公式に基づく下記の式１に基づいて、受信強度（ＲＳＳＩ）を距離ｄに換算する。
【００５４】
ＲＳＳＩ＝ＴｘＰｏｗｅｒ−２０ｌｏｇ（ｄ）・・（式１）
【００５５】
なお、式１におけるＴｘＰｏｗｅｒは、照明器具１０の無線通信部１１が送信する信号強度であり、より具体的には、照明器具１０から１ｍの位置における受信強度である。式１は、記憶部４５にあらかじめ記憶される。
【００５６】
ステップＳ３１では、複数の照明器具１０のそれぞれから複数の子機Ａ〜Ｄのそれぞれまでの距離が算出される。１台の照明器具１０から子機Ａまでの距離をＬＡ、子機Ｂまでの距離をＬＢ、子機Ｃまでの距離をＬＣ、子機Ｄまでの距離をＬＤとすると、複数の照明器具１０のそれぞれについて、距離の組（ＬＡ、ＬＢ、ＬＣ、ＬＤ）が算出される。
【００５７】
次に、第二制御部４２は、ステップＳ３１において算出された距離と記憶部４５に記憶された位置情報が示す距離とを比較する（Ｓ３２）。第二制御部４２は、例えば、上記距離の組（ＬＡ、ＬＢ、ＬＣ、ＬＤ）と、位置情報における複数の仮アドレスの（Ｌａ、Ｌｂ、Ｌｃ、Ｌｄ）とを比較することにより、（ＬＡ、ＬＢ、ＬＣ、ＬＤ）に最も近い（Ｌａ、Ｌｂ、Ｌｃ、Ｌｄ）が対応付けられた仮アドレスを特定する。第二制御部４２は、例えば、残差の二乗和が最も小さくなる仮アドレスを特定するが、その他のマッチング手法により仮アドレスを特定してもよい。なお、複数の子機の数が３台以上であれば、仮アドレスの特定精度を高めることができる。
【００５８】
次に、第二制御部４２は、特定した仮アドレスをＭＡＣアドレスに置き換える（Ｓ３３）。図７は、仮アドレスがＭＡＣアドレスに置き換えられた後の位置情報を示す図であり、図８は、ＭＡＣアドレスが反映された、複数の照明器具１０及び複数の子機２０の配置を示す図である。
【００５９】
図７に示されるように、第二制御部４２は、例えば、ＭＡＣアドレス「Ｘｘｘｘｘｘ００５１」を有する照明器具１０の（ＬＡ、ＬＢ、ＬＣ、ＬＤ）と、仮アドレス「１」の（Ｌａ、Ｌｂ、Ｌｃ、Ｌｄ）とが最も近い場合には、仮アドレス「１」をＭＡＣアドレス「Ｘｘｘｘｘｘ００５１」に置き換える。このような処理の結果、図７及び図８に示されるように、複数の照明器具１０の位置とＭＡＣアドレスとが紐づけられる。
【００６０】
このように、第二制御部４２は、複数の照明器具１０及び複数の子機Ａ〜Ｄの位置関係を示す位置情報と、受信強度情報とに基づいて、複数の照明器具１０のうち受信強度情報が示す受信強度の計測の対象となった信号を送信した第一照明器具の位置を決定する。また、第二制御部４２は、第一照明器具に識別情報を紐づける。つまり、照明システム１００は、複数の照明器具１０の位置とＭＡＣアドレスとを自動的に紐づけることができる。設置者は、ＭＡＣアドレスを入力する必要がないため、照明システム１００の設置にかかる時間が短縮される。
【００６１】
なお、第二制御部４２は、図８のような画像を表示部４４に表示させてもよい。これにより、設置者は、複数の照明器具１０の位置とＭＡＣアドレスとの対応関係を容易に認識することができる。
【００６２】
［変形例］
上述のように、受信強度は、上記式１に基づいて距離に換算されるが、式１は、距離が既知の２つ機器間における受信強度があらかじめ実測されることで得られる補正パラメータによって補正されてもよい。図９は、このような変形例に係る紐付け処理のフローチャートである。
【００６３】
第二制御部４２は、距離が既知の２つ機器間における受信強度に基づいて補正パラメータを算出する（Ｓ３４）。第二制御部４２は、具体的には、既知の実距離と、受信強度及び上記式１に基づいて定められる計算上の距離との差に基づいて補正パラメータを算出する。補正パラメータは、式１の少なくとも１つの項に乗算される係数であってもよいし、式１の少なくとも１つの項に加算されるオフセットであってもよいし、これらの両方であってもよい。
【００６４】
なお、２つの機器の距離が既知であるとは、位置情報において当該２つの機器のＭＡＣアドレスが既知であることを意味する。２つの機器間の距離は、例えば、設置者が操作受付部４１を操作して２つの機器のＭＡＣアドレスを入力することで位置情報に含まれることになる。
【００６５】
距離が既知の２つの機器は、例えば、複数の子機のうちの対象子機と、及び、複数の照明器具１０のうちの対象照明器具とである。対象照明器具は、言い換えれば、第二照明器具である。この場合、第二無線通信部４３は、対象子機が対象照明器具から受信した信号の受信強度を示す対象受信強度情報を対象子機から親機３０を介して受信する。第二制御部４２は、対象受信強度情報と、位置情報が示す対象子機から対象照明器具までの距離とに基づいて補正パラメータを算出する。
【００６６】
また、距離が既知の２つの機器は、例えば、複数の子機のうちの２つの子機であってもよい。この場合、第二無線通信部４３は、２つの子機の一方が他方から受信した信号の受信強度を示す対象受信強度情報を２つの子機の上記一方から受信する。第二制御部４２は、対象受信強度情報と、位置情報が示す２つの子機間の距離とに基づいて補正パラメータを算出する。
【００６７】
次に、第二制御部４２は、受信強度情報が示す受信強度を距離に換算する（Ｓ３１）。このとき、第二制御部４２は、ステップＳ３４において算出された補正パラメータを用いて式１を補正し、補正後の式１を用いる。つまり、第二制御部４２は、算出された補正パラメータを用いて受信強度情報が示す受信強度を距離に換算する。以降は、図６のステップＳ３２及びステップＳ３３と同様である。
【００６８】
以上説明したように、補正パラメータが用いられれば、受信強度の換算によって得られる距離の計算精度を向上することができる。
【００６９】
［効果等］
以上説明したように、照明システム１００は、複数の照明器具１０と、複数の子機Ａ〜Ｄと、情報通信端末４０とを備える。複数の子機Ａ〜Ｄは、複数の照明コントローラの一例である。複数の子機Ａ〜Ｄのそれぞれは、複数の照明器具１０のそれぞれから当該照明器具１０のＭＡＣアドレスを含む信号を受信する第一無線通信部２２と、第一無線通信部２２が複数の照明器具１０のそれぞれから受信した信号の受信強度を計測する計測部２３と、計測された受信強度を示す受信強度情報、及び、ＭＡＣアドレスを第一無線通信部２２によって送信させる第一制御部２１とを備える。ＭＡＣアドレスは、識別情報の一例である。情報通信端末４０は、送信された受信強度情報及びＭＡＣアドレスを受信する第二無線通信部４３と、複数の照明器具１０及び複数の子機Ａ〜Ｄの位置関係を示す位置情報と、受信強度情報とに基づいて、複数の照明器具１０のうち受信強度情報が示す受信強度の計測の対象となった信号を送信した第一照明器具の位置を決定し、第一照明器具に識別情報を紐づける第二制御部４２とを備える。
【００７０】
このような照明システム１００は、複数の照明器具１０の位置とＭＡＣアドレスとを容易に紐づけることができる。設置者は、ＭＡＣアドレスを入力する必要がないため、照明システム１００の設置にかかる時間が短縮される。
【００７１】
また、例えば、第二制御部４２は、受信強度情報が示す受信強度を距離に換算し、当該距離、及び、位置情報に基づいて、第一照明器具にＭＡＣアドレスを紐づける。
【００７２】
このような照明システム１００は、受信強度を距離に換算することにより、複数の照明器具１０の位置とＭＡＣアドレスとを容易に紐づけることができる。
【００７３】
また、例えば、情報通信端末２０は、さらに、位置情報を記憶可能な記憶部４５を備える。
【００７４】
このような照明システム１００は、記憶部４５に記憶された位置情報に基づいて、複数の照明器具１０の位置とＭＡＣアドレスとを容易に紐づけることができる。
【００７５】
また、例えば、位置情報は、複数の照明器具１０のそれぞれと複数の子機Ａ〜Ｄそれぞれとの距離を示し、第二制御部４２は、受信強度情報が示す受信強度を距離に換算し、当該距離と位置情報が示す距離とを比較することにより、複数の照明器具１０の位置とＭＡＣアドレスとを紐づける。
【００７６】
このような照明システム１００は、受信強度の換算により得られる距離と位置情報が示す距離とを比較することにより、複数の照明器具１０の位置とＭＡＣアドレスとを紐づけることができる。
【００７７】
また、例えば、第二制御部４２は、複数の子機Ａ〜Ｄのうちの対象子機が複数の照明器具１０のうちの第二照明器具から受信した信号の受信強度を示す対象受信強度情報と、位置情報が示す対象子機から第二照明器具までの距離とに基づいて補正パラメータを算出し、算出された補正パラメータを用いて受信強度情報が示す受信強度を距離に換算する。
【００７８】
これにより、受信強度を距離に換算する場合の計算精度を向上することができる。
【００７９】
また、例えば、第二制御部４２は、複数の子機Ａ〜Ｄのうちの２つの子機の一方が他方から受信した信号の受信強度を示す対象受信強度情報と、位置情報が示す２つの子機間の距離とに基づいて補正パラメータを算出し、算出された補正パラメータを用いて受信強度情報が示す受信強度を距離に換算する。
【００８０】
これにより、受信強度の換算によって得られる距離の計算精度を向上することができる。
【００８１】
また、例えば、位置情報において、複数の照明器具１０の位置のそれぞれには、仮アドレスが付与され、第二制御部４２は、受信強度情報、及び、位置情報に基づいて、仮アドレスをＭＡＣアドレスに置き換えることにより、第一照明器具にＭＡＣアドレスを紐づける。仮アドレスは、仮の識別情報の一例である。
【００８２】
このような照明システム１００は、仮アドレスをＭＡＣアドレスに置き換えることにより、複数の照明器具１０の位置とＭＡＣアドレスとを容易に紐づけることができる。
【００８３】
また、例えば、第一制御部２１は、さらに、複数の照明器具１０の少なくとも一部の発光制御を行うための指令を第一無線通信部２２に送信させる。
【００８４】
これにより、制御対象の照明器具１０への指令に関する通信を行う第一無線通信部２２が紐付け動作に関する通信をさらに行うことができ、構成要素の追加を抑制することができる。したがって、照明システム１００の部品コストなどを低減することができる。
【００８５】
また、複数の照明器具１０、複数の子機Ａ〜Ｄ、及び、情報通信端末４０を備える照明システム１００における設定方法において、複数の子機Ａ〜Ｄのそれぞれは、複数の照明器具１０のそれぞれから当該照明器具１０のＭＡＣアドレスを含む信号を受信し、複数の照明器具１０のそれぞれから受信した信号の受信強度を計測し、計測された受信強度を示す受信強度情報、及び、ＭＡＣアドレスを送信する。また、上記設定方法において、情報通信端末４０は、複数の照明器具１０及び複数の子機Ａ〜Ｄの位置関係を示す位置情報と、受信強度情報とに基づいて、複数の照明器具１０のうち受信強度情報が示す受信強度の計測の対象となった信号を送信した第一照明器具の位置を決定し、第一照明器具にＭＡＣアドレスを紐づける。
【００８６】
このような設定方法は、複数の照明器具１０の位置とＭＡＣアドレスとを容易に紐づけることができる。
【００８７】
また、複数の照明器具１０、複数の子機Ａ〜Ｄ、及び、情報通信端末４０を備える照明システム１００の情報通信端末４０に設定方法を実行させるためのプログラムにおいて、設定方法は、複数の照明器具１０及び複数の子機Ａ〜Ｄの位置関係を示す位置情報と、受信強度情報とに基づいて、複数の照明器具１０のうち受信強度情報が示す受信強度の計測の対象となった信号を送信した第一照明器具の位置を決定し、第一照明器具にＭＡＣアドレスを紐づける。
【００８８】
このようなプログラムは、複数の照明器具１０の位置とＭＡＣアドレスとを容易に紐づけることができる。
【００８９】
（実施の形態２）
上記実施の形態１では、第一無線通信部２２は、受信強度を計測するための信号の受信、及び、照明器具１０への指令の送信の両方を行ったが、照明器具１０への指令の送信は、第一無線通信部２２とは異なる別の無線通信部によって行われてもよい。図１０は、このような実施の形態２に係る照明システムの機能構成を示すブロック図である。図１０においては、複数の子機Ａ〜Ｄ、及び、複数の照明器具１０はそれぞれ１台のみ図示されているが、実際には複数台ずつ存在する。
【００９０】
図１０に示される照明システム１００ａにおいて、子機Ａは、第一無線通信部２２と異なる第三無線通信部２５を備える。図示されないが、子機Ｂ〜Ｄも第三無線通信部２５を備える。
【００９１】
第三無線通信部２５は、子機Ａが複数の照明器具１０と無線通信を行うための無線通信回路である。第三無線通信部２５は、無線通信の方式（通信規格）、及び、無線通信に用いられる電波の周波数帯域の少なくとも一方が第一無線通信部２２と異なる。第三無線通信部２５は、例えば、第一制御部２１の制御に基づいて、制御対象の照明器具１０に発光制御を行うための指令を送信する。言い換えれば、第一制御部２１は、複数の照明器具１０の少なくとも一部の発光制御を行うための指令を第三無線通信部２５に送信させる。実施の形態２では、第一無線通信部２２は、制御対象の照明器具１０への指令の送信は行わず、受信強度を計測するための信号の受信など、紐付け動作に関する通信にのみ用いられる。
【００９２】
また、照明システム１００ａにおいて、複数の照明器具１０のそれぞれは、無線通信部１１と異なる無線通信部１６を備える。
【００９３】
無線通信部１６は、照明器具１０が子機Ａと無線通信を行うための無線通信回路である。無線通信部１６は、無線通信の方式、及び、無線通信に用いられる電波の周波数帯域の少なくとも一方が無線通信部１１と異なる。無線通信部１６は、例えば、子機Ａから発光制御を行うための指令を受信する。実施の形態２では、無線通信部１１は、子機Ａから発光制御を行うための指令を受信せず、受信強度を計測するための信号の送信など、紐付け動作に関する通信にのみ用いられる。
【００９４】
このように、照明システム１００ａにおいては、複数の子機Ａ〜Ｄのそれぞれは、第一無線通信部２２と異なる第三無線通信部２５を備え、第一制御部２１は、さらに、複数の照明器具１０の少なくとも一部の発光制御を行うための指令を第三無線通信部２５に送信させる。
【００９５】
これにより、子機Ａ〜Ｄのそれぞれは、照明器具１０への指令の送信に用いられる第三無線通信部２５とは別の第一無線通信部２２によって受信強度の計測を行うことができる。
【００９６】
なお、実施の形態２のように第一無線通信部２２及び無線通信部１１が距離の計測用の追加構成要素として取り扱われる場合、無線通信部１１は、定期的にＭＡＣアドレスを含む信号を送信するビーコン送信装置であり、第一無線通信部２２は、ビーコン受信装置であってもよい。
【００９７】
また、実施の形態２では、複数の子機Ａ〜Ｄ、及び、複数の照明器具１０のそれぞれは、距離の計測用の追加構成要素として、ＧＰＳ（Ｇｌｏｂａｌ  Ｐｏｓｉｔｉｏｎｉｎｇ  Ｓｙｓｔｅｍ）モジュールを備えてもよい。この場合、複数の子機Ａ〜Ｄ、及び、複数の照明器具１０のそれぞれは、ＧＰＳ座標情報を情報通信端末４０に送信し、情報通信端末４０は、ＧＰＳ座標情報に基づいて複数の子機Ａ〜Ｄのそれぞれから複数の照明器具１０のそれぞれまでの距離を算出してもよい。
【００９８】
また、実施の形態２では、複数の子機Ａ〜Ｄ、及び、複数の照明器具１０のそれぞれは、ＷＩ−Ｆｉ（登録商標）に準拠した第三無線通信部２５または無線通信部１１を備え、Ｗｉ−Ｆｉ（登録商標）ロケーションエンジン、Ｗｉ−Ｆｉ（登録商標）Ｓｎｉｆｆｅｒ、または、Ｗｉ−Ｆｉ（登録商標）  Ｂａｓｅｄ  ＲＴＬＳ（Ｒｅａｌ  ｔｉｍｅ  Ｌｏｃａｔｉｏｎ  Ｓｙｓｔｅｍ）等のマイクロロケーション技術により距離の算出が行われてもよい。
【００９９】
（実施の形態３）
また、照明器具１０への指令の送信は、有線通信部によって行われてもよい。図１１は、このような実施の形態３に係る照明システムの機能構成を示すブロック図である。図１１においては、複数の子機Ａ〜Ｄ、及び、複数の照明器具１０はそれぞれ１台のみ図示されているが、実際には複数台ずつ存在する。
【０１００】
図１１に示される照明システム１００ｂにおいて、子機Ａは、有線通信部２６を備える。図示されないが、子機Ｂ〜Ｄも有線通信部２６を備える。
【０１０１】
有線通信部２６は、子機Ａが複数の照明器具１０と有線通信を行うための有線通信回路である。有線通信部２６は、例えば、第一制御部２１の制御に基づいて、制御対象の照明器具１０に発光制御を行うための指令を送信する。言い換えれば、第一制御部２１は、複数の照明器具１０の少なくとも一部の発光制御を行うための指令を有線通信部２６に送信させる。実施の形態３では、第一無線通信部２２は、制御対象の照明器具１０への指令の送信は行わず、受信強度を計測するための信号の受信など、紐付け動作に関する通信にのみ用いられる。
【０１０２】
また、照明システム１００ｂにおいて、複数の照明器具１０のそれぞれは、有線通信部１７を備える。
【０１０３】
有線通信部１７は、照明器具１０が子機Ａと無線通信を行うための無線通信回路である。有線通信部１７は、例えば、子機Ａから発光制御を行うための指令を受信する。実施の形態３では、無線通信部１１は、子機Ａから発光制御を行うための指令を受信せず、受信強度を計測するための信号の送信など、紐付け動作に関する通信にのみ用いられる。
【０１０４】
このように、照明システム１００ａにおいては、複数の子機Ａ〜Ｄのそれぞれは、有線通信部２６を備え、第一制御部２１は、さらに、複数の照明器具１０の少なくとも一部の発光制御を行うための指令を有線通信部２６に送信させる。
【０１０５】
これにより、子機Ａ〜Ｄのそれぞれは、照明器具１０への指令の送信に用いられる有線通信部２６とは別の第一無線通信部２２によって受信強度の計測を行うことができる。例えば、照明システム１００ｂでは、第一無線通信部２２、及び、無線通信部１１、距離の計測（より具体的には、受信強度の計測）専用の構成要素として用いられ、子機Ａから照明器具１０への指令の送信には有線通信部２６及び有線通信部１７が用いられる。
【０１０６】
（その他の実施の形態）
以上、実施の形態について説明したが、本発明は、上記実施の形態に限定されるものではない。
【０１０７】
例えば、上記実施の形態では、識別情報としてＭＡＣアドレスが例示されたが、識別情報は、照明器具を一意に特定できるものであればよく、ＭＡＣアドレスに限定されない。
【０１０８】
また、上記実施の形態では、位置情報は、複数の照明器具のそれぞれと複数の子機のそれぞれとの距離を示したが、位置情報は、複数の照明器具及び複数の子機の位置関係を示せばよい。位置情報は、複数の照明器具のそれぞれと複数の子機のそれぞれとの距離を直接的または間接的に示せばよい。
【０１０９】
また、上記実施の形態では、識別情報を含む信号（具体的には、応答信号）の受信強度が計測されたが、識別情報を含む信号とは別の信号の受信強度が計測されてもよい。
【０１１０】
また、上記実施の形態で説明した装置間の通信方法は、一例である。装置間の通信方法については特に限定されるものではない。装置間で行われる無線通信は、例えば、特定小電力無線、ＺｉｇＢｅｅ（登録商標）、Ｂｌｕｅｔｏｏｔｈ（登録商標）、または、Ｗｉ−Ｆｉ（登録商標）などの通信規格を用いた無線通信などである。なお、無線通信は、具体的には、電波通信、または、赤外線通信などである。また、情報通信端末及び親機の間で行われる無線通信の通信規格と、子機及び照明器具の間で行われる無線通信の通信規格とは、同一であってもよいし異なってもよい。
【０１１１】
また、上記実施の形態において、特定の処理部が実行する処理を別の処理部が実行してもよい。また、複数の処理の順序が変更されてもよいし、複数の処理が並行して実行されてもよい。
【０１１２】
また、上記実施の形態において、制御部などの構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１３】
また、制御部などの構成要素は、ハードウェアによって実現されてもよい。例えば、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１１４】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、本発明は、設定方法を情報通信端末に実行させるためのプログラムとして実現されてもよいし、このようなプログラムが記録された非一時的な記録媒体として実現されてもよい。
【０１１５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１１６】
１０  照明器具
２０  子機（照明コントローラ）
２１  第一制御部
２２  第一無線通信部
２３  計測部
２５  第三無線通信部
２６  有線通信部
４０  情報通信端末
４２  第二制御部
４３  第二無線通信部
１００、１００ａ、１００ｂ  照明システム
【図１】
2019140037.tif 000003
【図２】
2019140037.tif 000004
【図３】
2019140037.tif 000005
【図４】
2019140037.tif 000006
【図５】
2019140037.tif 000007
【図６】
2019140037.tif 000008
【図７】
2019140037.tif 000009
【図８】
2019140037.tif 000010
【図９】
2019140037.tif 000011
【図１０】
2019140037.tif 000012
【図１１】
2019140037.tif 000013